(57)【要約】【課題】  この考案は携帯に便利で、かつコンピュータの接続ポートを占用することのない充電式のマウスセットを提供する。【解決手段】  マウス本体と、該マウス本体が発する信号を受信する受信手段とを具え、該マウス本体、もしくは該受信手段の一方に電源線を巻き付けた巻き取り手段を設け、かつ他方に第１接続部を設け、該マウス本体に設ける巻き取り段か、もしくは該第１接続部が電池装置に電気的にカップリングし、該受信手段に設ける第１接続部に設ける巻き取り手段の電源線、もしくは該第１接続部が電源に電気的にカップリングし、該巻き取り手段に巻き付ける電源線の一端が該第１接続部にカップリングして該電源から該電池装置に充電するように構成する。【選択図】  図２
0003121423.tif 000002
【実用新案登録請求の範囲】
【請求項１】
マウス本体と、該マウス本体が発する信号を受信する受信手段とを具え、該マウス本体、もしくは該受信手段の一方に電源線を巻き付けた巻き取り手段を設け、かつ他方に第１接続部を設け、該マウス本体に設ける巻き取り手段か、もしくは該第１接続部が電池装置に電気的にカップリングし、該受信手段に設ける第１接続部に設ける巻き取り手段の電源線、もしくは該第１接続部が電源に電気的にカップリングし、該巻き取り手段に巻き付けた電源線の一端が該第１接続部にカップリングして該電源から該電池装置に充電するように構成することを特徴とする充電式マウスセット。
【請求項２】
前記マウス本体が該電池装置に電気的に接続する回路ボードを具え、該電源線か、該第１接続部のいずれかが該回路ボードを介して該電池装置に電気的にカップリングすることを特徴とする請求項１に記載の充電式マウスセット。
【請求項３】
前記電源線の一端に第２接続部を設け、該第２接続部と該第１接続部とをカップリングし、かつ該第１接続部と該第２接続部の一方がオスで、他方がメスの接続形式であることを特徴とする請求項１、もしくは２に記載の充電式マウスセット。
【請求項４】
前記受信手段がプラグを介してコンピュータの電源に接続し、かつ該プラグがＵＳＢインタフェースを具えることを特徴とする請求項１に記載の充電式マウスセット。
【請求項５】
前記コンピュータ本体の電源が、該コンピュータ本体のＵＳＢポートを介して該受信手段に電気的に接続することを特徴とする請求項４に記載の充電式マウスセット。
【考案の詳細な説明】
【技術分野】
【０００１】
この考案は、コンピュータの入力装置に関し、特に充電できる構造を具えたマウスと、及び該マウスの出力する信号を受信してコンピュータに入力する受信手段とを含むマウスセットに関する。
【背景技術】
【０００２】
充電構造を具えたマウスに関しては、例えば台湾実用新案登録第Ｍ２６７７３３号が挙げられる。該実用新案は、マウスの充電座を提供するものであって、マウスを収納する溝と電池を収納する溝とを形成したベースを具え、該マウスを収納する溝に充電式のマウスを収納する。電池を収納する溝には二次電池を収納する。また、該ベースには、信号の送信を行うための信号伝送ケーブルと、マウスに充電するための電源線を接続する。
【０００３】
上述する実用新案によれば、マウスは電力を消耗した場合、所定の時間ベースに置いて充電する。充電が完了してはじめて使用することができ、充電が完了するまでは使用することができない。また、該マウスの充電座がマウスに充電するためには、トランスに接続した電源線を必要とする。信号伝送ケーブルか、電源線を忘れた場合はマウスを使用できなくなる。しかも装置の数量と重量が増えて、携帯不便である。
【０００４】
また、台湾実用新案登録第Ｍ２６９５１５号は、充電式のマウスを提供するものであって、電池を具えた電池座と、ケーブルの巻き取り構造を具える。該巻取り構造に巻き取るケーブルは、一端がマウス内の回路ボードに接続し、他端にプラグを接続する。該プラグをコンピュータ本体に接続して制御信号の伝送を行うとともに、コンピュータ本体の電力を電池座に送電して充電を行う。
【０００５】
上述するマウスは、操作する上で問題を有する。即ち、該巻取り構造に巻き取るケーブルは、一端にプラグを接続し、該プラグをコンピュータ本体に接続する。しかしながら、コンピュータ本体の接続ポートは数に限りがある。よって、該プラグをコンピュータの接続ポートに接続した場合、一定の時間該接続ポートを他の周辺デバイスの接続に供することができない。また、コンピュータの全ての接続ポートに周辺デバイスが接続されている場合、その内の一つを抜かなければ、該プラグを接続して充電することができない。
【考案の開示】
【考案が解決しようとする課題】
【０００６】
そこで、この考案は携帯に便利で、かつコンピュータの接続ポートを占用することのない充電式のマウスセットを提供することを課題とする。
【課題を解決するための手段】
【０００７】
そこで、本願考案者は、従来の技術に見られる欠点に鑑み鋭意研究を重ねた結果、マウス本体と、該マウス本体が発する信号を受信する受信手段とを具え、該マウス本体、もしくは該受信手段の一方に電源線を巻き付けた巻き取り手段を設け、かつ他方に第１接続部を設け、該マウス本体に設ける巻き取り段か、もしくは該第１接続部が電池装置に電気的にカップリングし、該受信手段に設ける第１接続部に設ける巻き取り手段の電源線、もしくは該第１接続部が電源に電気的にカップリングし、該巻き取り手段に巻き付けた電源線の一端が該第１接続部にカップリングして該電源から該電池装置に充電するように構成してなる充電式マウスセットによって課題を解決できる点に着眼し、かかる知見に基づいて本考案を完成させた。
【０００８】
以下この考案について詳述する。
請求項１に記載する充電式マウスセットは、マウス本体と、該マウス本体が発する信号を受信する受信手段とを具え、該マウス本体、もしくは該受信手段の一方に電源線を巻き付けた巻き取り手段を設け、かつ他方に第１接続部を設け、該マウス本体に設ける巻き取り手段か、もしくは該第１接続部が電池装置に電気的にカップリングし、該受信手段に設ける第１接続部に設ける巻き取り手段の電源線、もしくは該第１接続部が電源に電気的にカップリングし、該巻き取り手段に巻き付けた電源線の一端が該第１接続部にカップリングして該電源から該電池装置に充電するように構成する。
【０００９】
請求項２に記載する充電式マウスセットは、請求項１におけるマウス本体が該電池装置に電気的に接続する回路ボードを具え、該電源線か、該第１接続部のいずれかが該回路ボードを介して該電池装置に電気的にカップリングする。
【００１０】
請求項３に記載する充電式マウスセットは、請求項１、もしくは２における電源線の一端に第２接続部を設け、該第２接続部と該第１接続部とをカップリングし、かつ該第１接続部と該第２接続部の一方がオスで、他方がメスの接続形式である。
【００１１】
請求項４に記載する充電式マウスセットは、請求項１における受信手段がプラグを介してコンピュータの電源に接続し、かつ該プラグがＵＳＢインタフェースを具える。
【００１２】
請求項５に記載する充電式マウスセットは、請求項４におけるコンピュータ本体の電源が、該コンピュータ本体のＵＳＢポートを介して該受信手段に電気的に接続する。
【考案の効果】
【００１３】
この考案による充電式マウスセットは、携帯に便利であるとともに、コンピュータ本体の接続ポートを占用することがなく、使用上便利であるという利点を有する。
【考案を実施するための最良の形態】
【００１４】
この考案は、充電式のマウスセットに関し、マウス本体と、該マウス本体が発する信号を受信する受信手段とを具え、該マウス本体、もしくは該受信手段の一方に電源線を巻き付けた巻き取り手段を設け、かつ他方に第１接続部を設け、該マウス本体に設ける巻き取り手段か、もしくは該第１接続部が電池装置に電気的にカップリングし、該受信手段に設ける第１接続部に設ける巻き取り手段の電源線、もしくは該第１接続部が電源に電気的にカップリングし、該巻き取り手段に巻き付けた電源線の一端が該第１接続部にカップリングして該電源から該電池装置に充電するように構成し、携帯に便利であるとともに、コンピュータ本体の接続ポートを占用することがない充電式マウスセットを提供するという目的を達成した。
かかる構成の充電式マウスセットについて、その構造と特徴を詳述するために、具体的な実施例を挙げ、図面を参照にして以下に説明する。
【実施例】
【００１５】
図１、２に開示するように、この考案によるマウスセットはマウス本体１０と、マウス本体１０が発する信号を受信する受信手段２０を含む。マウス本体１０には、電源線１２を巻き取る巻き取り手段１１を具える。また、受信手段２０には、第１接続部２１を設ける。実施例において、巻き取り手段１１はマウス本体１０内に設け、第１接続部２１は受信手段２０内に設ける。また、マウス本体１０には回路ボード１０１と、回路ボード１０１に電気的に接続する電池装置１０２とを設け、巻き取り手段１１に巻き取る電源線２０の一端には第２接続部１２１を設け、他端は回路ボード１０１にカップリングして、電池装置１０２に電気的に接続する。
【００１６】
受信手段２０は、一端にプラグ２０１を設け、プラグ２０１を介してコンピュータ本体に接続する。実施例において、プラグ２０１にはＵＳＢインタフェースを用いる。コンピュータ本体は少なくとも１以上ｎＵＡＢポート（図示しない）を具え、ＵＳＢインタフェースを介して受信手段２０とコンピュータ本体の電源とが接続する。
【００１７】
マウス本体１０には電源線１２の第２接続部１２１を外部に露出させる孔部を、受信手段２０には第１接続部２１に連通する孔部をそれぞれ穿設する。また、第１接続部２１と第２接続部１２１をカップリングさせる。この場合、第１接続部２１と第２接続部１２１のいずれかをオスとして、他をメスとする。例えば、第１接続部２１がオスであれば、第２接続部１２１をメスとする。メスの形式は、一般の電源挿入孔であり、オスの形式は、電源挿入孔に挿入する一般の端子であればよい。
【００１８】
図３から５に開示するように、巻き取り手段１１は従来の一般的な巻き取り構造であって、一方向、逆方向への回転、及び位置決めの機能を具える。また、巻き取り手段１１はハウジング１１１、回転盤１１２、渦まきバネ１１３を具える。ハウジング１１１は、底面の中央の位置に自由端となる一端からスリット１１１２を形成した軸桿１１１１を設ける。また、ハウジング１１１は、外周壁に切り欠き部１１１３を形成するとともに、蓋板１１４を設ける。
【００１９】
回転盤１１２は、軸桿１１１１で軸支してハウジング１１１内に設ける。また、回転盤１１２には電源線１２を巻き付ける。電源線１２の第２接続部１２１は切り欠き部１１１３から外部に露出する。また、回転盤１１２は上面から凹溝１１２１を形成し、凹溝１１２１の内壁に係合部１１２２を設ける。渦まきバネ１１３は図４に開示するように、両方の端縁部１１３１、１１３２がフック状を呈し、内側の端縁部１１３１を軸支桿１１１１のスリット１１１２に係合させ、外側の端縁部１１３２を回転盤１１２の係合部１１２２に係合させて固定する。
【００２０】
上述するハウジング１１１底面の支軸桿１１１１に近接した位置には突起１１１４を形成する。また、図５に開示するように、回転盤１１２は、凹溝１１２１を形成する面に対向する面には、突起１１１４に対応する複数の凹溝１１２３を形成する。また、渦巻きバネ１１３は回転盤１１２の回転にしたがって引っ張られテンションがかかる。
【００２１】
電源線１２が適宜な長さにまで延伸すると、突起１１１４は凹溝１１２３の最も深い所に位置決めされ、回転盤１１２が電源線１２とともに暫時位置決めされる。さらに、図２に開示するように、電源線１２の第２接続部１２１と、受信手段２０の第１接続部２１とが電気的にカップリングし、第２接続部１２１が第１接続部２１に電気的にカップリングすると、コンピュータの電力が第１接続部２１と第２接続部１２１を介してマウス本体１０内の電池装置１０２に流れて充電される。
【００２２】
電池装置１０２の充電が完了した場合、もしくは電源線１２を使用しない場合、第２接続部１２１と第１接続部２１とを分離させ、さらに電源線１２を軽く引くと、突起１１１４の回転盤１１２の凹溝の最も深い所における位置決めが解除され、渦まきバネ１１３の付勢力によって回転盤１１２が逆方向に回転し、電源線１２が回転盤１１２に巻き戻される。
【００２３】
図６、７に開示するように、巻き取り手段１１は受信手段２０に設けて、電源線１２が受信手段２０を介してコンピュータの電源に接続するように構成してもよい。また、第１接続部２１をマウス本体１０に設け、回路ボード１０１を介して電池装置１０２に接続するようにしても、受信手段２０を介してマウス本体１０の電池装置１０２に充電する目的を達成することができる。
【００２４】
上述するように、この考案による充電式マウスは、従来の技術に見られるように充電座を介してマウス本体１０に充電することがないため、必要とする装置の点数と、重量を減少させることができ、携帯に便利である。また、この考案においては受信手段２０と電源線１２を介してマウス本体１０の電池装置１０２に充電するため、コンピュータ本体の接続ポートを占拠する状況の発生を減少させることができる。このため、従来の技術に見られるように、コンピュータ本体の接続ポートの数が減少するという欠点を改善することができる。
【００２５】
以上は、この考案の好ましい実施の形態であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２６】
【図１】この考案による充電式マウスセットの構造を示した説明図である。
【図２】図１に開示するマウスセットにおいて、マウス本体と受信手段とを接続した状態を示した説明図である。
【図３】この考案における巻取り手段の分解図である。
【図４】図３に開示する巻き取り手段の平面図である。
【図５】図３に開示する巻き取り手段における凹溝と突起の関係を示した説明図である。
【図６】他の携帯よる充電式マウスセットの構造を示した説明図である。
【図７】図６に開示するマウスセットにおいて、マウス本体と受信手段とを接続した状態を示した説明図である。
【符号の説明】
【００２７】
１０              マウス本体
１０１            回路ボード
１０２            電池装置
１１              巻き取り手段
１１１            ハウジング
１１１１          支軸桿
１１１２          スリット
１１１３          切り欠き部
１１１４          突起
１１２            回転盤
１１２１          凹溝
１１２２          係合部
１１２３          凹溝
１１３            渦まきバネ
１１３１          端縁部
１１３２          端縁部
１１４            蓋板
１２              電源線
１２１            第２接続部
２０              受信手段
２０１            プラグ
２１              第1接続部
【図１】
0003121423.tif 000003
【図２】
0003121423.tif 000004
【図３】
0003121423.tif 000005
【図４】
0003121423.tif 000006
【図５】
0003121423.tif 000007
【図６】
0003121423.tif 000008
【図７】
0003121423.tif 000009